(57)【要約】  【課題】  被巻体に巻きつけた後のずれを防止できるととも、被巻体が身体部位である場合にも、当該身体部位が蒸れることを防止できる帯状バンドを提供する。【解決手段】長手方向に伸縮性を有する帯状バンドＢであって、被巻体Ｍと接触する内面１ａには、長手方向に沿って伸縮性を有する滑り止め手段２が配されることを特徴とする。  【選択図】  図１
0003111464.tif 000002
【実用新案登録請求の範囲】
【請求項１】
長手方向に伸縮性を有する帯状の本体と、当該本体の少なくとも一方面に設けられる滑り止め手段とを備えることを特徴とする帯状バンド。
【請求項２】
前記滑り止め手段は、所定の厚みを備えることを特徴とする請求項１記載の帯状バンド。
【請求項３】
前記滑り止め手段は、前記本体の一方面の中央付近に配されることを特徴とする請求項２に記載の帯状バンド。
【請求項４】
前記滑り止め手段は、伸縮性を備えることを特徴とする請求項１乃至請求項３のいずれか１項に記載の帯状バンド。
【請求項５】
前記帯状ベルトは、身体部位に巻き付けられて使用される帯状サポータであることを特徴とする請求項１乃至請求項４のいずれか１項に記載の帯状ベルト。
【考案の詳細な説明】
【技術分野】
【０００１】
本考案は、肘や膝等の身体部位の保護及び補助に使用したり、物品の固定用として使用したりする帯状バンドに関する。
【背景技術】
【０００２】
現在、膝、肘等の身体部位の保護及びこれら身体部位を動かす際の補助を目的として使用するサポータには、従来の筒状のものの他、帯状を呈し、身体部位に巻きつけて使用するものも多く存在する。また、本や雑誌等を束ねて固定するものとしては、従来から帯状のバンドが一般的に使用されている。
【０００３】
身体部位に使用する帯状サポータとしては、例えば、特許文献１に帯状サポータが開示されている。この帯状サポータは、長手方向に伸縮可能であって、その両端に面状ファスナーのフック面（Ａ面）を配するとともに、サポータ本体の片面全体あるいは両面全体を起毛状態又は有毛状態とし、面状ファスナーのループ面（Ｂ面）とする構成となっている。このような構成とすることで帯状サポータを身体部位に使用する際、巻きつける身体部位のサイズに左右されず任意の力で巻きつけることができるとともに、各面ファスナーを任意の位置で止着させることが可能となる。
【０００４】
【特許文献１】実登３０９７１３２号公報
【考案の開示】
【考案が解決しようとする課題】
【０００５】
しかしながら、膝や肘等の身体部位は、屈伸・伸長等により常にその状態を変化させるため、長時間上記帯状サポータを巻きつけていると、帯状サポータが、最初の巻き付け位置からずれてしまい、身体部位の保護あるいは補助という役割を十分に発揮できないという問題が生じる。
【０００６】
また、肘や膝等の身体部位に上記帯状サポータを強い力で巻き付けた場合、この身体部位が帯状サポータによって密着され、通気性が悪くなるため、蒸れが生じ、かゆみ等の原因となってしまうという問題を有する。このような蒸れは、帯状サポータの幅が広く、身体部位との接触面が広くなればなるほど生じやすくなる。
【０００７】
また、物品を固定したり、複数の物品を束ねたりする際には、上記帯状サポータと同様の構成を有する帯状バンドが使用されることがあるが、帯状バンドがずれて拘束力が衰え、固定した物品が滑り落ちたり、束ねた物品が散乱したりすることがあった。さらに、帯状バンドで拘束される物品の表面がメッキ塗装されたような傷つきやすいものである場合は、帯状バンドが接触することによりメッキ塗装が剥がれる等して傷ついたりする恐れがあった。
【０００８】
そこで本考案の目的は、肘や膝等の身体部位の保護及び補助に使用する他、物品の固定用として使用する帯状バンドであって、被巻体に巻きつけた後のずれを防止でき、さらには、通気性に優れ、帯状バンドの接触によって損傷を与える恐れが少ない帯状バンドを提供することにある。
【課題を解決するための手段】
【０００９】
本考案に係る帯状バンドは、長手方向に伸縮性を有する帯状の本体と、当該本体の少なくとも一方の面に設けられる滑り止め手段とを備えることを特徴とする。
【００１０】
この考案によれば、伸縮性を備える本体の少なくとも一方面に滑り止め手段を備えるため、滑り止め手段が設けられる一方面を内側にして被巻体に巻き付けると、内側の滑り止め手段の摩擦力によって帯状バンドがずれ難くなり、安定した巻き付け状態を維持することができる。
【００１１】
また、上記滑り止め手段は、所定の厚さを備えることが好ましい。これによると、上記滑り止め手段は所定の厚みを備えるため、本考案を被巻体に巻きつけた際、被巻体と本体との間や、重なり合う本体の間に、滑り止め手段の厚み分だけ隙間ができ、通気性が確保される。また、被巻体と帯状ベルトとの接触面積が小さくなるため、接触により被巻体に与える損傷も軽減される。
【００１２】
また、上記滑り止め手段は、前記本体の一方面の中央付近に配されることが好ましい。これによると、上記滑り止め手段が、本体の一方面の中央付近に配されるため、滑り止め手段を本体の側縁付近に設ける場合と比べ、中央付近から側縁方向に向かってある程度の隙間ができ、より高い通気性を確保することができる。
【００１３】
また、前記滑り止め手段は伸縮性を備えることが好ましい。これによれば、滑り止め手段が伸縮性を備えるため、被巻体に本考案を巻付ける際、本体の長手方向への伸びを阻害することがなく、任意に本体を伸ばしながら巻きつける力を調節することができる。
【００１４】
前記帯状ベルトは、身体部位に巻き付けられて使用される帯状サポータであることが好ましい。これによれば、たとえ、膝、肘等のように動きのある身体部位に本考案を使用しても、長時間安定した巻付け状態を維持することができる。滑り止め手段が厚みを備えると、本考案を巻き付けたときに、本体と身体部位との間や、重なり合う本体の間に隙間が形成され、通気性が確保されて蒸れを防止することができる。また、身体部位との接触面積を小さくすることができるため、接触による身体部位への損傷を緩和することができる。
【考案の効果】
【００１５】
この考案によれば、本体に設けられる滑り止め手段によりズレが防止され、最初の巻付け状態を長時間維持することができる。このため、本考案を膝や肘等のように動きのある身体部位に巻き付けてサポータとして使用しても、その保護及び補助の役割が十分に発揮される。また、物品を束ねたり押さえたりする際のベルトとして使用した場合にも、ズレにより拘束力が弱まることもなく、物品が散乱したり、滑り落ちたりすることもない。滑り止め手段が伸縮性を備えると、本体の伸縮を阻害することがなく、任意に本体を伸ばすことができ、被巻体に適当な力で巻き付けることができる。
【００１６】
また、滑り止め手段が所定の厚みを備えると、本体と被巻体との間や、重なり合う本体の間に隙間が形成され、通気性が確保される。これにより、身体部位に巻き付けてサポータとして使用すると、蒸れが防止されて長時間快適に使用することが可能となる。物品を束ねたり押さえたりするベルトとして使用した場合は、物品に対する通気性も確保されるため長期保管などにも好適である。この滑り止め手段は本体の中央付近に設けられると、本体の側縁から中央付近に向かって隙間が形成されるため、より高い通気性が確保される。
【００１７】
また、滑り止め手段が所定の厚みを備えると、被巻体との接触面積が小さくなるため、巻き付けにより身体や物品に与える損傷が軽減される。とくに、物品の表面がメッキ加工されている場合はメッキの剥がれが防止されるなど、物品の表面への負担が軽減されるため、表面が傷つきやすい物品に対しても安心して使用することができる。
【考案を実施するための最良の形態】
【００１８】
以下、本考案を実施するための最良の形態を図に基づき説明する。
【００１９】
本発明の第１の実施の形態は、肘や膝等の身体部位の保護及び補助に使用したり、物品の固定用として使用したりする帯状バンドBである。この帯状バンドBは、その長手方向に伸縮性を有する帯状の本体１を備える。帯状の本体１の両面のうち、一方面（上記身体部位等と接触する内面）１ａには、長手方向に沿って伸縮性を有する滑り止め手段２が配されるとともに、この一方面１ａの一端部には、面状ファスナー（フック面）Ｆａが形成されている。そして、本体１の他方面１ｂには、上記面状ファスナー（フック面）Ｆａと止着する面状ファスナー（ループ面）Ｆｂがその全面に亘って形成されている。ここで、本実施の形態の帯状バンドBを巻き付ける対象物として、上記肘や膝等の身体部位、あるいは、種々の物品等が挙げられるが、これらを総称して被巻体と表す。
【００２０】
本実施の形態の帯状バンドBの本体１は、経糸に緯糸を織りこむことにより、帯状に構成される（図１，２）。本体１の寸法については、その長さ・幅とも任意であるが、幅については、例えば３０ｍｍ、５０ｍｍ、７５ｍｍとするとよい。本体１に使用される経糸は、帯状バンドBの長手方向への伸縮を担うため、伸縮性に優れた糸ゴム、特にポリウレタン繊維の糸ゴムが使用される。一方、緯糸には、起毛性を有する糸として、主にナイロン繊維糸が使用される。製織工程において、帯状バンドBの本体１には、上記緯糸のうちのナイロン繊維糸を片面側のみ起毛させる起毛処理が施される。この片面が、上記面状ファスナー（ループ面）Ｆｂを有する他方面１ｂとなる。逆に、起毛処理を施さない他方の面が一方面１ａとなる。なお、他方面１ｂの面状ファスナー（ループ面）Ｆｂについては、上記方法のみではなく、他の方法を用いて形成してもよい。
【００２１】
本体１の一方面１ａには、本体１の長手方向に沿って伸縮性を有する滑り止め手段２が配される（図１）。滑り止め手段２には、伸縮性を有すること、及び、摩擦係数が高いことを考慮して、主にシリコン樹脂が使用される。滑り止め手段２は、一方面１ａから所定の厚さを有しており、一方面１ａから略円弧状に盛り上がるように形成されている。また、滑り止め手段２は、一方面１ａの中央付近、すなわち、一方面１ａの長手方向に沿った中央線付近に設けられている。ここで、滑り止め手段２の厚さは、帯状バンドＢの幅に合わせて調整されるが、例えば、帯状バンドＢの幅が５０ｍｍの場合、滑り止め手段２の厚さは０．５ｍｍ〜１ｍｍ程度となる。ここで、本実施の形態では、２本の滑り止め手段２を長手方向に沿って直線状に配置しているが、これに限定されるものではなく、例えば、３本或いは４本の直線状としたり、波型状やドット状とするなど、その形状は任意である。
【００２２】
また、一方面１ａには、その一端部に面状ファスナー（フック面）Ｆａが設けられ（図１）、この面状ファスナー（フック面）Ｆａを、上記他方面１ｂの面状ファスナー（ループ面）Ｆｂに任意に止着することができる。なお、上記面状ファスナー(フック面)Ｆａの取り付け箇所については、一方面１ａの一端部だけでなく、他の箇所に設けてもよい。また、ループ面Ｆｂは、他方面１ｂの全体をループ面としても良いし、所定箇所にループ面Ｆｂを設けても良い。なお、本体１を巻き付けた後にその終端を留めるための手段は、かかる面状ファスナーに限らず、例えば金具状のフックを本体１に引っ掛けたり、粘着性を備えるテープで貼り付けたり、巻き付けた本体１に終端を挟み込んだりしても良い。
【００２３】
次に本実施の形態である帯状バンドＢを種々の被巻体に使用する場合についてそれぞれ説明する。
【００２４】
本実施の形態である帯状バンドＢを、身体部位、例えば、膝周辺に使用する場合は、まず、滑り止め手段２が設けられた一方面１ａを内側にして、帯状バンドＢを身体部位（膝周辺）Ｍ１に巻いてゆく。このとき、滑り止め手段１も長手方向への本体１の伸びに合わせて伸張するため、任意に本帯状バンドＢの本体１を伸ばしながら巻きつける力を調節することができる。次に、所定範囲を巻き終えたら一方面１ａの面状ファスナー（フック面）Ｆａと、他方面１ｂの面状ファスナー（ループ面）Ｆｂとを止着させる（図３）。このとき、摩擦係数の高い滑り止め手段２が身体部位（膝周辺）Ｍ１に直接接触しているため（図４）、帯状バンドＢは身体部位（膝周辺）Ｍ１に対して十分な摩擦力を得ることができ、たとえ、身体部位（膝周辺）Ｍ１が屈伸・伸長等の動きを繰り返しても、最初の巻き付け状態を長時間維持することが可能となる。ここで、図３では、身体部位（膝周辺）Ｍ１に帯状バンドＢを一重に巻きつけたもののみを示しているが、例えば、帯状バンドＢを身体部位（膝周辺）Ｍ１に広範囲に亘って数重に重ね合わせて巻きつけた場合は、身体部位（膝周辺）Ｍ１に帯状バンドＢの本体１が重なるとともに、帯状バンドＢの本体１同士が重なり合うことになる。このとき、帯状バンドＢの他方面１ｂ上に一方面１ａが重なっていくので、一方面１ａに配された滑り止め手段２と他方面１ｂとの間で強い摩擦力が働く。これにより、上記本体１と本体１が重なり合った部分がずれ難くなるため、上記の例と同様に最初の巻き付け状態を長時間維持することが可能となる。
【００２５】
また、身体部位（膝周辺）Ｍ１に帯状バンドＢを巻き付けた際、上記滑り止め手段２の厚さ分だけ、滑り止め手段２周辺の身体部位（膝周辺）Ｍ１と帯状バンドＢの本体１との間に隙間が形成されるとともに、身体部位（膝周辺）Ｍ１と本体１との接触面積が小さくなる。これによって、身体部位（膝周辺）Ｍ１に、帯状バンドＢの本体１全体が密着することを防ぐとともに、その接触面積を抑えられるため、通気性を確保でき、人体部位の蒸れを防止することができる。さらに、上記滑り止め手段２が、一方面１ａの中央付近に配されるため、滑り止め手段２を一方面１ａの側縁付近に設ける場合と比べ、一方面１ａの中央付近から側縁方向に向かって隙間が生じ、これによって、中央付近の身体部位から発生した熱や汗（水蒸気）を、この隙間を通して外部に放出することができる。このため、更に高い通気性を確保することができ、身体部位（膝周辺）Ｍ１の蒸れをより一層防止できる。なお、上記例では、身体部位Ｍ１を膝周辺として説明したが、これが、例えば、肘、首、太腿、脹脛、足首、手首、腰、胸等であっても勿論構わない。
【００２６】
本実施の形態の帯状バンドＢは、上記身体部位に使用する他、物品の固定用として使用することもできる。例えば、本・雑誌類Ｍ２を束ねて固定する際に使用することができる（図５）。或いは、ゴルフ道具や蛍光灯や物干し竿等の長尺物品を束ねて固定する際にも使用できる（図６）。また、帯状バンドＢに袋を取り付けて、袋の中に携帯用カイロ等を入れ、身体に巻き付けて使用しても良い。また、ダンボール箱や蓋付きの箱のような箱体に巻き付けて荷くずれを防止しても良い。この帯状バンドＢを使用すれば、少なくとも片面に滑り止め手段２が設けられているため、最初の巻付け状態がずれることもなく、物品をしっかりと固定することができる。帯状バンドＢを、メッキ塗装を施した物品等、表面に傷がつきやすい被巻体に巻き付けた際、上記滑り止め手段２の存在により、被巻体と本体１との接触面積を小さくすることができるため、被巻体の表面に傷をつけることがない。本体１と被巻体との間や、重なり合った本体１同士の間には、隙間が形成されるため、通気性が確保され、長期保管にも安心して使用できる。
【００２７】
以上、本実施の形態の帯状バンドＢによれば、種々の被巻体Ｍと本体１とのずれ、あるいは帯状バンドＢの本体１同士のずれを防ぐことができ、最初の巻付け状態を長時間維持することができる。帯状バンドＢを膝や肘等の動きのある身体部位に巻き付けてサポータとして使用した場合であっても、サポータとしての保護及び補助の役割が十分に発揮される。また、被巻体が身体部位の場合であっても、巻き付け部分の通気性が確保され、蒸れることがないので、長時間快適に使用することが可能となる。物品を束ねたり押さえたりする際には、拘束用ベルトや押さえ用ベルトとして使用することも可能であり、滑り止め手段によりズレが防止されるため、物品がばらけたり滑り落ちたりすることもない。
【図面の簡単な説明】
【００２８】
【図１】本考案の第１の実施の形態である帯状バンドの内面側を示した斜視図である。
【図２】上記実施の形態の帯状バンドの外面側を示した斜視図である。
【図３】上記実施の形態の使用状態を示す斜視図である。
【図４】上記実施の形態の使用状態での断面図である。
【図５】上記実施の形態の使用状態を示す斜視図である。
【図６】上記実施の形態の使用状態を示す斜視図である。
【符号の説明】
【００２９】
１    本体、
１ａ  帯状バンドの内面、
１ｂ  帯状バンドの外面、
２    滑り止め手段、
Ｆａ  面状ファスナー（フック面）、
Ｆｂ  面状ファスナー（ループ面）、
Ｂ    帯状バンド、
【図１】
0003111464.tif 000003
【図２】
0003111464.tif 000004
【図３】
0003111464.tif 000005
【図４】
0003111464.tif 000006
【図５】
0003111464.tif 000007
【図６】
0003111464.tif 000008